(57)【特許請求の範囲】
【請求項１】
第１の基地局によって、測定構成をユーザ機器へ送信するステップと、
前記第１の基地局によって、前記ユーザ機器から測定レポートを取得するステップであって、前記測定レポートは、セルのセルグローバル識別子および前記セルの帯域情報を含む、ステップと、
前記第１の基地局によって、前記セルの前記帯域情報および前記セルの前記セルグローバル識別子に基づいてセルハンドオーバーを実行するステップと
を含み、
少なくとも２つの帯域が前記セル用に構成されている場合には、前記帯域情報は、前記セル用に構成されている１つの帯域、および前記セル用に構成されているさらなる帯域リストを含み、前記さらなる帯域リストは、前記セル用に構成されている前記１つの帯域以外の帯域に関係する
通信方法。
【請求項２】
前記測定レポートは、前記セル用に構成されている前記さらなる帯域リストの優先度が、前記セル用に構成されている前記１つの帯域の優先度よりも高いかどうかを示す前記セルの帯域優先度情報をさらに含む
請求項１に記載の方法。
【請求項３】
前記第１の基地局によって、指示情報を送信するステップであって、前記指示情報は、前記セルの前記帯域情報を報告するよう前記ユーザ機器に指示するために使用される、ステップをさらに含む
請求項１または２に記載の方法。
【請求項４】
前記ユーザ機器によって報告される性能情報を取得するステップであって、前記性能情報は、前記ユーザ機器が前記セルの前記帯域情報の報告をサポートしているかどうかを示すために使用される、ステップをさらに含む
請求項１乃至３のいずれか一項に記載の方法。
【請求項５】
Ｘ２インターフェースを使用することによってハンドオーバーが実行される場合に、前記第１の基地局によって、前記セルの前記帯域情報に基づいて前記ユーザ機器に関するダウンリンク絶対無線周波数チャネル番号ＡＲＦＣＮを選択するステップであって、前記セルは第２の基地局に属する、ステップと、
前記第１の基地局によって、前記ダウンリンクＡＲＦＣＮに基づいてキーを得て、前記キーを前記第２の基地局へ送信するステップとをさらに含む
請求項１乃至４のいずれか一項に記載の方法。
【請求項６】
Ｘ２インターフェースを使用することによってハンドオーバーが実行される場合に、前記第１の基地局によって、前記セルの前記帯域情報および前記帯域優先度情報に基づいて前記ユーザ機器に関するダウンリンク絶対無線周波数チャネル番号ＡＲＦＣＮを選択するステップであって、前記セルは第２の基地局に属する、ステップと、
前記第１の基地局によって、前記ダウンリンクＡＲＦＣＮに基づいてキーを得て、前記キーを前記第２の基地局へ送信するステップとをさらに含む
請求項２に記載の方法。
【請求項７】
ユーザ機器によって、基地局からの測定構成を受信するステップと、
前記ユーザ機器によって、測定レポートを前記基地局に報告するステップであって、前記測定レポートは、セルのセルグローバル識別子および前記セルの帯域情報を含む、ステップと
を含み、
少なくとも２つの帯域が前記セル用に構成されている場合には、前記帯域情報は、前記セル用に構成されている１つの帯域、および前記セル用に構成されているさらなる帯域リストを含み、前記さらなる帯域リストは、前記セル用に構成されている前記１つの帯域以外の帯域に関係する
通信方法。
【請求項８】
前記測定レポートは、前記セル用に構成されている前記さらなる帯域リストの優先度が、前記セル用に構成されている前記１つの帯域の優先度よりも高いかどうかを示す前記セルの帯域優先度情報をさらに含む
請求項７に記載の方法。
【請求項９】
前記ユーザ機器によって、前記帯域優先度情報に従って、前記さらなる帯域リストを優先するステップと、
前記ユーザ機器が前記さらなる帯域リスト内のどの帯域もサポートしていない場合は、前記ユーザ機器によって、前記帯域優先度情報に従って、前記セル用に構成される前記１つの帯域を使用するステップとをさらに含む
請求項８に記載の方法。
【請求項１０】
前記ユーザ機器によって、前記基地局からの指示情報を受信するステップであって、前記指示情報は、前記セルの前記帯域情報を報告するよう前記ユーザ機器に指示するために使用される、ステップをさらに含む
請求項７乃至９のいずれか一項に記載の方法。
【請求項１１】
前記ユーザ機器によって、性能情報を報告するステップであって、前記性能情報は、前記ユーザ機器が前記セルの前記帯域情報の報告をサポートしているかどうかを示すために使用される、ステップをさらに含む
請求項７乃至１０のいずれか一項に記載の方法。
【請求項１２】
測定構成をユーザ機器へ送信するように構成されている送信ユニットと、
前記ユーザ機器からの測定レポートを取得するように構成されている取得ユニットであって、前記測定レポートは、セルのセルグローバル識別子および前記セルの帯域情報を含む、取得ユニットと、
前記セルの前記セルグローバル識別子および前記セルの前記帯域情報に基づいてセルハンドオーバーを実行するように構成されている制御ユニットと
を含み、
少なくとも２つの帯域が前記セル用に構成されている場合には、前記帯域情報は、前記セル用に構成されている１つの帯域、および前記セル用に構成されているさらなる帯域リストを含み、前記さらなる帯域リストは、前記セル用に構成されている前記１つの帯域以外の帯域に関係する基地局。
【請求項１３】
前記測定レポートは、前記セル用に構成されている前記さらなる帯域リストの優先度が、前記セル用に構成されている前記１つの帯域の優先度よりも高いかどうかを示す帯域優先度情報をさらに含む
請求項１２に記載の基地局。
【請求項１４】
前記送信ユニットは、
前記ユーザ機器によって報告される前記測定レポートを前記取得ユニットが取得する前に、指示情報を送信するようにさらに構成されており、前記指示情報は、前記セルの前記帯域情報を報告するよう前記ユーザ機器に指示するために使用される
請求項１２または１３に記載の基地局。
【請求項１５】
前記取得ユニットは、
前記指示情報を前記送信ユニットが送信する前に、前記ユーザ機器によって報告される性能情報を取得し、前記性能情報に従って、前記ユーザ機器が前記セルの前記帯域情報の報告をサポートしていることを決定するようにさらに構成されており、前記性能情報は、前記ユーザ機器が前記セルの前記帯域情報の報告をサポートしているかどうかを示すために使用される
請求項１４に記載の基地局。
【請求項１６】
基地局からの測定構成を受信するように構成されている受信ユニットと、
測定レポートを前記基地局に報告するように構成されている報告ユニットであって、前記測定レポートは、セルのセルグローバル識別子および前記セルの帯域情報を含む、報告ユニットと
を含み、
少なくとも２つの帯域が前記セル用に構成されている場合には、前記帯域情報は、前記セル用に構成されている１つの帯域、および前記セル用に構成されているさらなる帯域リストを含み、前記さらなる帯域リストは、前記セル用に構成されている前記１つの帯域以外の帯域に関係するユーザ機器。
【請求項１７】
前記測定レポートは、前記セル用に構成されている前記さらなる帯域リストの優先度が、前記セル用に構成されている前記１つの帯域の優先度よりも高いかどうかを示す帯域優先度情報をさらに含む
請求項１６に記載のユーザ機器。
【請求項１８】
前記帯域優先度情報に従って、前記さらなる帯域リストを優先する手段と、
前記ユーザ機器が前記さらなる帯域リスト内のどの帯域もサポートしていない場合は、前記帯域優先度情報に従って、前記セル用に構成される前記１つの帯域を使用する手段とをさらに含む
請求項１７に記載のユーザ機器。
【請求項１９】
前記受信ユニットは、
前記基地局によって送信された指示情報を受信するようにさらに構成されており、前記指示情報は、前記セルの前記帯域情報を報告するよう前記ユーザ機器に指示するために使用される
請求項１６または１７に記載のユーザ機器。
【請求項２０】
前記報告ユニットは、
性能情報を報告するようにさらに構成されており、前記性能情報は、前記ユーザ機器が前記セルの前記帯域情報の報告をサポートしているかどうかを示すために使用される
請求項１６乃至１９のいずれか一項に記載のユーザ機器。
【請求項２１】
非一時的なコンピュータ可読記録媒体であって、前記コンピュータ可読記録媒体はプログラムを格納し、プロセッサにより前記プログラムが実行されるとき、請求項１乃至１１のいずれか一項に記載の前記ステップが実行される、記録媒体。
【発明の詳細な説明】
【技術分野】
【０００１】
本発明は、通信テクノロジーの分野に関し、特に通信方法および通信デバイスに関する。
【背景技術】
【０００２】
本出願は、２０１５年８月１３日に中国特許庁に出願された「ＣＯＭＭＵＮＩＣＡＴＩＯＮ  ＭＥＴＨＯＤ  ＡＮＤ  ＣＯＭＭＵＮＩＣＡＴＩＯＮＳ  ＤＥＶＩＣＥ」という名称の中国特許出願第２０１５１０４９６６１５．２号に対する優先権を主張するものであり、これは、その全体が参照によって本明細書に組み込まれている。
【０００３】
よりよい通信品質を確保するために、ネットワーク側デバイスは、近隣セルをユーザ機器（Ｕｓｅｒ  Ｅｑｕｉｐｍｅｎｔ、ＵＥ）用に構成する必要があり、それによってセルハンドオーバーが実行される必要がある場合に、ＵＥは近隣セルへハンドオーバーされる。
【０００４】
現在、ロングタームエボリューション（Ｌｏｎｇ  Ｔｅｒｍ  Ｅｖｏｌｕｔｉｏｎ、ＬＴＥ）通信システムを例として使用すると、基地局は通常、自動近隣関係（Ａｕｔｏｍａｔｉｃ  Ｎｅｉｇｈｂｏｒ  Ｒｅｌａｔｉｏｎ、ＡＮＲ）メカニズムを使用することによって近隣セルを構成し、構成された近隣セルの関連情報を格納する。
【０００５】
ＡＮＲメカニズムを使用することによって近隣セルを構成することの実施プロセスは、基地局が、特定の絶対無線周波数チャネル番号（Ａｂｓｏｌｕｔｅ  Ｒａｄｉｏ  Ｆｒｅｑｕｅｎｃｙ  Ｃｈａｎｎｅｌ  Ｎｕｍｂｅｒ、ＡＲＦＣＮ）を測定するようＵＥに指示し、ＵＥは、ＡＲＦＣＮによって示された物理周波数に従って新たなセルを認識し、認識された新たなセルの物理セル識別子（Ｐｈｙｓｉｃａｌ  ｃｅｌｌ  Ｉｄｅｎｔｉｆｉｅｒ、ＰＣＩ）を基地局へ報告し、ＰＣＩに対応するセルが、新たに認識された近隣セルであると特定した場合には、基地局は、測定構成（ｒｅｐｏｒｔＣＧＩ）の測定タスクを配信し、近隣セルのセルグローバル識別子（Ｃｅｌｌ  Ｇｌｏｂａｌ  Ｉｄｅｎｔｉｆｉｅｒ、ＣＧＩ）を報告するようＵＥに要求し、報告された近隣セルの中央物理周波数が、ＡＲＦＣＮによって示された物理周波数であり、セルＩＤがＰＣＩ値であり、ＵＥは、中央物理周波数がＡＲＦＣＮによって示された物理周波数であり、かつセルＩＤがＰＣＩ値であるセルのシステム情報を読み取り、近隣セルのＣＧＩを取得し、ＣＧＩを基地局へ報告し、基地局は、中央物理周波数がＡＲＦＣＮによって示された物理周波数であり、かつセルＩＤがＰＣＩ値であるセルを近隣セルとして追加し、ＣＧＩをＡＲＦＣＮおよびＰＣＩに関連付け、ＣＧＩ、ＡＲＦＣＮ、およびＰＣＩを、追加された近隣セルに関する情報として格納する。
【０００６】
現在、前述のＡＮＲメカニズムを使用することによって構成された近隣セルは、ターゲットセルとして使用されている。セルハンドオーバーが実行される場合には、ハンドオーバー失敗がしばしば生じ、ハンドオーバー失敗をどのようにして解決するかは、業界において至急解決されるべき問題である。
【発明の概要】
【０００７】
本発明の実施形態は、セルハンドオーバーの成功率を改善するように、通信方法および通信デバイスを提供する。
【０００８】
第１の態様によれば、通信方法が提供され、
第１の基地局によって、測定構成を含むメッセージをユーザ機器へ送信するステップであって、測定構成は、セルのセルグローバル識別子を報告するようユーザ機器に要求するために使用される、ステップと、
第１の基地局によって、ユーザ機器によって報告される、かつ測定構成に対応する測定レポートを取得するステップであって、測定レポートは、セルのセルグローバル識別子およびセルの帯域情報を含む、ステップと、
第１の基地局によって、セルの帯域情報およびセルのセルグローバル識別子に基づいてセルハンドオーバーを実行するステップとを含む。
【０００９】
第１の態様に関連して、第１の実施様式においては、
１つの帯域がセル用に構成されている場合には、帯域情報は、セル用に構成されている帯域を含み、
少なくとも２つの帯域がセル用に構成されている場合には、帯域情報は、セル用に構成されている帯域、およびセル用に構成されているさらなる帯域リストを含み、さらなる帯域リストは、セル用に構成されている帯域以外の別の帯域を格納するために使用される。
【００１０】
第１の態様の第１の実施様式に関連して、第２の実施様式においては、
少なくとも２つの帯域がセル用に構成されている場合には、測定レポートは、セルの帯域優先度情報をさらに含み、
帯域優先度情報は、セル用に構成されているさらなる帯域リスト内の帯域の優先度が、セル用に構成されている帯域の優先度よりも高いかどうかを示すために使用される。
【００１１】
第１の態様、または第１の態様の第１の実施様式、または第１の態様の第２の実施様式に関連して、第３の実施様式においては、第１の基地局によって、ユーザ機器によって報告される測定レポートを取得するステップの前に、方法は、
第１の基地局によって、指示情報を送信するステップであって、その指示情報は、セルの帯域情報を報告するようユーザ機器に指示するために使用される、ステップをさらに含む。
【００１２】
第１の態様の第３の実施様式に関連して、第４の実施様式においては、第１の基地局によって、指示情報を送信するステップの前に、方法は、
ユーザ機器によって報告される性能情報を取得するステップであって、性能情報は、ユーザ機器がセルの帯域情報の報告をサポートしているかどうかを示すために使用される、ステップと、
性能情報に従って、ユーザ機器がセルの帯域情報の報告をサポートしているということを決定するステップとをさらに含む。
【００１３】
第１の態様の第３の実施様式または第１の態様の第４の実施様式に関連して、第５の実施様式においては、指示情報はメッセージ内に含まれる。
【００１４】
第１の態様または第１の態様の前述の実施様式のうちのいずれか１つに関連して、第６の実施様式においては、メッセージは、無線リソース制御ＲＲＣ接続再構成メッセージである。
【００１５】
第１の態様に関連して、第７の実施様式においては、方法は、
Ｘ２インターフェースを使用することによってハンドオーバーが実行される場合に、第１の基地局によって、セルの帯域情報に基づいてユーザ機器に関するダウンリンク絶対無線周波数チャネル番号ＡＲＦＣＮを選択するステップであって、セルは第２の基地局に属する、ステップと、
第１の基地局によって、ダウンリンクＡＲＦＣＮに基づいてキーを得て、キーを第２の基地局へ送信するステップとをさらに含む。
【００１６】
第１の態様の第２の実施様式に関連して、第８の実施様式においては、方法は、
Ｘ２インターフェースを使用することによってハンドオーバーが実行される場合に、第１の基地局によって、セルの帯域情報および帯域優先度情報に基づいてユーザ機器に関するダウンリンク絶対無線周波数チャネル番号ＡＲＦＣＮを選択するステップであって、セルは第２の基地局に属する、ステップと、
第１の基地局によって、ダウンリンクＡＲＦＣＮに基づいてキーを得て、キーを第２の基地局へ送信するステップとをさらに含む。
【００１７】
第２の態様によれば、通信方法が提供され、
第１の基地局によって、第２の基地局のセルの帯域優先度情報を取得するステップであって、帯域優先度情報は、セル用に構成されているさらなる帯域リスト内の帯域の優先度が、セル用に構成されている帯域の優先度よりも高いかどうかを示すために使用され、さらなる帯域リストは、セル用に構成されている帯域以外の別の帯域を格納するために使用される、ステップと、
Ｘ２インターフェースを使用することによってハンドオーバーが実行される場合に、第１の基地局によって、セルの帯域優先度情報に基づいてユーザ機器に関するダウンリンク絶対無線周波数チャネル番号ＡＲＦＣＮを選択するステップと、
第１の基地局によって、ダウンリンクＡＲＦＣＮに基づいてキーを得て、キーを第２の基地局へ送信するステップとを含む。
【００１８】
第２の態様に関連して、第１の実施様式においては、第１の基地局によって、第２の基地局のセルの帯域優先度情報を取得するステップは、
第１の基地局によって、Ｘ２セットアップ要求メッセージの、第２の基地局によって送信された応答情報を受信するステップであって、応答情報はセルの帯域優先度情報を含む、ステップを含む。
【００１９】
第２の態様に関連して、第２の実施様式においては、第１の基地局によって、第２の基地局のセルの帯域優先度情報を取得するステップは、
第１の基地局によって、第２の基地局によって送信されたＸ２セットアップ要求メッセージを受信するステップであって、Ｘ２セットアップ要求メッセージはセルの帯域優先度情報を含む、ステップを含む。
【００２０】
第３の態様によれば、通信方法が提供され、
ユーザ機器によって、第１の基地局によって送信され、かつ測定構成を含むメッセージを受信するステップであって、測定構成は、セルのセルグローバル識別子を報告するようユーザ機器に要求するために使用される、ステップと、
ユーザ機器によって、セルのセルグローバル識別子およびセルの帯域情報を取得し、測定構成に対応する測定レポートを生成するステップと、
ユーザ機器によって、測定レポートを報告するステップであって、測定レポートは、セルのセルグローバル識別子およびセルの帯域情報を含む、ステップとを含む。
【００２１】
第３の態様に関連して、第１の実施様式においては、
１つの帯域がセル用に構成されている場合には、帯域情報は、セル用に構成されている帯域を含み、
少なくとも２つの帯域がセル用に構成されている場合には、帯域情報は、セル用に構成されている帯域、およびセル用に構成されているさらなる帯域リストを含み、さらなる帯域リストは、セル用に構成されている帯域以外の別の帯域を格納するために使用される。
【００２２】
第３の態様の第１の実施様式に関連して、第２の実施様式においては、
少なくとも２つの帯域がセル用に構成されている場合には、測定レポートは、セルの帯域優先度情報をさらに含み、
帯域優先度情報は、セル用に構成されているさらなる帯域リスト内の帯域の優先度が、セル用に構成されている帯域の優先度よりも高いかどうかを示すために使用される。
【００２３】
第３の態様、または第３の態様の第１の実施様式、または第３の態様の第２の実施様式に関連して、第３の実施様式においては、ユーザ機器によって、セルの帯域情報を取得するステップの前に、方法は、
ユーザ機器によって、第１の基地局によって送信された指示情報を受信するステップであって、指示情報は、セルの帯域情報を報告するようユーザ機器に指示するために使用される、ステップをさらに含む。
【００２４】
第３の態様の第３の実施様式に関連して、第４の実施様式においては、第１の指示メッセージがメッセージ内に含まれる。
【００２５】
第３の態様または第３の態様の前述の実施様式のうちのいずれか１つに関連して、第５の実施様式においては、方法は、
ユーザ機器によって、性能情報を報告するステップであって、性能情報は、ユーザ機器がセルの帯域情報の報告をサポートしているかどうかを示すために使用される、ステップをさらに含む。
【００２６】
第３の態様または第３の態様の前述の実施様式のうちのいずれか１つに関連して、第６の実施様式においては、メッセージは、無線リソース制御ＲＲＣ接続再構成メッセージである。
【００２７】
第４の態様によれば、基地局が提供され、
測定構成を含むメッセージをユーザ機器へ送信するように構成されている送信ユニットであって、測定構成は、セルのセルグローバル識別子を報告するようユーザ機器に要求するために使用される、送信ユニットと、
ユーザ機器によって報告され、かつ測定構成に対応する測定レポートを取得するように構成されている取得ユニットであって、測定レポートは、セルのセルグローバル識別子およびセルの帯域情報を含む、取得ユニットと、
取得ユニットによって取得されるセルのセルグローバル識別子およびセルの帯域情報に基づいてセルハンドオーバーを実行するように構成されている制御ユニットとを含む。
【００２８】
第４の態様に関連して、第１の実施様式においては、
１つの帯域がセル用に構成されている場合には、帯域情報は、セル用に構成されている帯域を含み、
少なくとも２つの帯域がセル用に構成されている場合には、帯域情報は、セル用に構成されている帯域、およびセル用に構成されているさらなる帯域リストを含み、さらなる帯域リストは、セル用に構成されている帯域以外の別の帯域を格納するために使用される。
【００２９】
第４の態様の第１の実施様式に関連して、第２の実施様式においては、
少なくとも２つの帯域がセル用に構成されている場合には、測定レポートは、セルの帯域優先度情報をさらに含み、
帯域優先度情報は、セル用に構成されているさらなる帯域リスト内の帯域の優先度が、セル用に構成されている帯域の優先度よりも高いかどうかを示すために使用される。
【００３０】
第４の態様、または第４の態様の第１の実施様式、または第４の態様の第２の実施様式に関連して、第３の実施様式においては、送信ユニットは、
ユーザ機器によって報告される測定レポートを取得ユニットが取得する前に、指示情報を送信するようにさらに構成されており、指示情報は、セルの帯域情報を報告するようユーザ機器に指示するために使用される。
【００３１】
第４の態様の第３の実施様式に関連して、第４の実施様式においては、取得ユニットは、
指示情報を送信ユニットが送信する前に、ユーザ機器によって報告される性能情報を取得し、性能情報に従って、ユーザ機器がセルの帯域情報の報告をサポートしていることを決定するようにさらに構成されており、性能情報は、ユーザ機器がセルの帯域情報の報告をサポートしているかどうかを示すために使用される。
【００３２】
第４の態様の第３の実施様式または第４の態様の第４の実施様式に関連して、第５の実施様式においては、指示情報はメッセージ内に含まれる。
【００３３】
第４の態様または第４の態様の前述の実施様式のうちのいずれか１つに関連して、第６の実施様式においては、メッセージは、無線リソース制御ＲＲＣ接続再構成メッセージである。
【００３４】
第４の態様に関連して、第７の実施様式においては、制御ユニットは、
Ｘ２インターフェースを使用することによってハンドオーバーが実行される場合に、セルの帯域情報に基づいてユーザ機器に関するダウンリンク絶対無線周波数チャネル番号ＡＲＦＣＮを選択し、ダウンリンクＡＲＦＣＮに基づいてキーを得て、キーを第２の基地局へ送信するようにさらに構成されており、セルは第２の基地局に属する。
【００３５】
第４の態様の第２の実施様式に関連して、第８の実施様式においては、制御ユニットは、
Ｘ２インターフェースを使用することによってハンドオーバーが実行される場合に、セルの帯域情報および帯域優先度情報に基づいてユーザ機器に関するダウンリンク絶対無線周波数チャネル番号ＡＲＦＣＮを選択し、ダウンリンクＡＲＦＣＮに基づいてキーを得て、キーを第２の基地局へ送信するようにさらに構成されており、セルは第２の基地局に属する。
【００３６】
第５の態様によれば、基地局が提供され、
第２の基地局のセルの帯域優先度情報を取得するように構成されている取得ユニットであって、帯域優先度情報は、セル用に構成されているさらなる帯域リスト内の帯域の優先度が、セル用に構成されている帯域の優先度よりも高いかどうかを示すために使用され、さらなる帯域リストは、セル用に構成されている帯域以外の別の帯域を格納するために使用される、取得ユニットと、
Ｘ２インターフェースを使用することによってハンドオーバーが実行される場合に、セルの帯域優先度情報に基づいてユーザ機器に関するダウンリンク絶対無線周波数チャネル番号ＡＲＦＣＮを選択するように構成されている選択ユニットと、
選択ユニットによって選択されたダウンリンクＡＲＦＣＮに基づいてキーを得て、キーを第２の基地局へ送信するように構成されている送信ユニットとを含む。
【００３７】
第５の態様に関連して、第１の実施様式においては、取得ユニットは、第２の基地局のセルの帯域優先度情報を次の態様、すなわち
Ｘ２セットアップ要求メッセージの、第２の基地局によって送信された応答情報を受信し、応答情報はセルの帯域優先度情報を含むという態様で取得するように特に構成されている。
【００３８】
第５の態様に関連して、第２の実施様式においては、取得ユニットは、第２の基地局のセルの帯域優先度情報を次の態様、すなわち、
第２の基地局によって送信されたＸ２セットアップ要求メッセージを受信し、Ｘ２セットアップ要求メッセージはセルの帯域優先度情報を含むという態様で取得するように特に構成されている。
【００３９】
第６の態様によれば、ユーザ機器が提供され、
第１の基地局によって送信され、かつ測定構成を含むメッセージを受信するように構成されている受信ユニットであって、測定構成は、セルのセルグローバル識別子を報告するようユーザ機器に要求するために使用される、受信ユニットと、
セルのセルグローバル識別子およびセルの帯域情報を取得し、受信ユニットによって受信された測定構成に対応する測定レポートを生成するように構成されている生成ユニットと、
生成ユニットによって生成された測定レポートを報告するように構成されている報告ユニットであって、測定レポートは、セルのセルグローバル識別子およびセルの帯域情報を含む、報告ユニットとを含む。
【００４０】
第６の態様に関連して、第１の実施様式においては、
１つの帯域がセル用に構成されている場合には、帯域情報は、セル用に構成されている帯域を含み、
少なくとも２つの帯域がセル用に構成されている場合には、帯域情報は、セル用に構成されている帯域、およびセル用に構成されているさらなる帯域リストを含み、さらなる帯域リストは、セル用に構成されている帯域以外の別の帯域を格納するために使用される。
【００４１】
第６の態様の第１の実施様式に関連して、第２の実施様式においては、
少なくとも２つの帯域がセル用に構成されている場合には、測定レポートは、セルの帯域優先度情報をさらに含み、
帯域優先度情報は、セル用に構成されているさらなる帯域リスト内の帯域の優先度が、セル用に構成されている帯域の優先度よりも高いかどうかを示すために使用される。
【００４２】
第６の態様、または第６の態様の第１の実施様式、または第６の態様の第２の実施様式に関連して、第３の実施様式においては、受信ユニットは、
セルの帯域情報を生成ユニットが取得する前に、第１の基地局によって送信された指示情報を受信するようにさらに構成されており、指示情報は、セルの帯域情報を報告するようユーザ機器に指示するために使用される。
【００４３】
第６の態様の第３の実施様式に関連して、第４の実施様式においては、指示メッセージはメッセージ内に含まれる。
【００４４】
第６の態様または第６の態様の前述の実施様式のうちのいずれか１つに関連して、第５の実施様式においては、報告ユニットは、
性能情報を報告するようにさらに構成されており、性能情報は、ユーザ機器がセルの帯域情報の報告をサポートしているかどうかを示すために使用される。
【００４５】
第６の態様または第６の態様の前述の実施様式のうちのいずれか１つに関連して、第６の実施様式においては、メッセージは、無線リソース制御ＲＲＣ接続再構成メッセージである。
【００４６】
本発明の実施形態において提供されている通信方法および通信デバイスにおいては、基地局が、測定構成を含むメッセージをＵＥへ送信し、基地局は、測定を実行し、セルの帯域情報、またはセルの帯域情報および帯域優先度情報を取得し、それによって基地局は、セルの完全なおよび正確な帯域情報を格納する。したがって基地局は、正確なハンドオーバー決定を実行することができ、それによってハンドオーバー失敗を回避する。
【図面の簡単な説明】
【００４７】
【図１】本発明の実施形態による通信方法のアプリケーションの通信アーキテクチャーである。
【図２Ａ】本発明の実施形態による通信方法の実施フローチャートである。
【図２Ｂ】本発明の実施形態による通信方法の実施フローチャートである。
【図２Ｃ】本発明の実施形態による通信方法の実施フローチャートである。
【図３Ａ】本発明の実施形態による別の通信方法の実施フローチャートである。
【図３Ｂ】本発明の実施形態による基地局間における対話の概略図である。
【図４Ａ】本発明の実施形態によるさらに別の通信方法の実施フローチャートである。
【図４Ｂ】本発明の実施形態によるさらに別の通信方法の実施フローチャートである。
【図４Ｃ】本発明の実施形態によるさらに別の通信方法の実施フローチャートである。
【図５】本発明の実施形態によるＵＥと基地局との間における対話の概略図である。
【図６】本発明の実施形態によるＵＥと基地局との間における対話の別の概略図である。
【図７Ａ】本発明の実施形態による基地局の概略構成図である。
【図７Ｂ】本発明の実施形態による基地局の概略構成図である。
【図８Ａ】本発明の実施形態による別の基地局の概略構成図である。
【図８Ｂ】本発明の実施形態による別の基地局の概略構成図である。
【図９Ａ】本発明の実施形態によるユーザ機器の概略構成図である。
【図９Ｂ】本発明の実施形態によるユーザ機器の概略構成図である。
【発明を実施するための形態】
【００４８】
以下、本発明の実施形態における添付の図面を参照しながら、本発明の実施形態における技術的解決策について明確にかつ完全に記述する。明らかに、記述されている実施形態は、本発明の実施形態のうちのいくつかであり、すべてではない。創造的な努力なく、本発明の実施形態に基づいて当業者によって取得される他のすべての実施形態は、本発明の保護範囲内に入るものとする。
【００４９】
本発明の実施形態の技術的解決策は、たとえば、グローバルシステムオブモバイルコミュニケーションズ（Ｇｌｏｂａｌ  Ｓｙｓｔｅｍ  ｏｆ  Ｍｏｂｉｌｅ  ｃｏｍｍｕｎｉｃａｔｉｏｎ、ＧＳＭ）システム、符号分割多元接続（Ｃｏｄｅ  Ｄｉｖｉｓｉｏｎ  Ｍｕｌｔｉｐｌｅ  Ａｃｃｅｓｓ、ＣＤＭＡ）システム、ワイドバンド符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ）システム、汎用パケット無線サービス（Ｇｅｎｅｒａｌ  Ｐａｃｋｅｔ  Ｒａｄｉｏ  Ｓｅｒｖｉｃｅ、ＧＰＲＳ）、ロングタームエボリューション（Ｌｏｎｇ  Ｔｅｒｍ  Ｅｖｏｌｕｔｉｏｎ、ＬＴＥ）システム、ＬＴＥ周波数分割複信（Ｆｒｅｑｕｅｎｃｙ  Ｄｉｖｉｓｉｏｎ  Ｄｕｐｌｅｘ、ＦＤＤ）システム、ＬＴＥ時分割複信（Ｔｉｍｅ  Ｄｉｖｉｓｉｏｎ  Ｄｕｐｌｅｘ、ＴＤＤ）、ユニバーサルモバイルテレコミュニケーションズシステム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ、ＵＭＴＳ）、およびワールドワイドインターオペラビリティーフォーマイクロウェーブアクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、ＷｉＭＡＸ）通信システムなどの様々な通信システムに適用され得ることを理解されたい。
【００５０】
本発明の実施形態においては、ユーザ機器（Ｕｓｅｒ  Ｅｑｕｉｐｍｅｎｔ、ＵＥ）は、端末（Ｔｅｒｍｉｎａｌ）、移動局（Ｍｏｂｉｌｅ  Ｓｔａｔｉｏｎ、ＭＳ）、モバイル端末（Ｍｏｂｉｌｅ  Ｔｅｒｍｉｎａｌ）などと呼ばれることがあることも理解されたい。ユーザ機器は、無線アクセスネットワーク（Ｒａｄｉｏ  Ａｃｃｅｓｓ  Ｎｅｔｗｏｒｋ、ＲＡＮ）によって、１つまたは複数のコアネットワークと通信し得る。たとえば、ユーザ機器は、モバイル電話（セルラー電話とも呼ばれる）、またはモバイル端末を備えたコンピュータであることがある。たとえば、ユーザ機器はまた、無線アクセスネットワークと音声および／またはデータをやり取りする、携帯型ポケットサイズ型、ハンドヘルド型、コンピュータ内蔵型、または車載型のモバイル装置であることがある。
【００５１】
本発明の実施形態においては、基地局は、ＧＳＭまたはＣＤＭＡにおける基地局（Ｂａｓｅ  Ｔｒａｎｓｃｅｉｖｅｒ  Ｓｔａｔｉｏｎ、略してＢＴＳ）であってよく、またはＷＣＤＭＡにおける基地局（ＮｏｄｅＢ）であってよく、またはＬＴＥにおける進化型ＮｏｄｅＢ（ｅｖｏｌｖｅｄ  Ｎｏｄｅ  Ｂ、略してｅＮＢまたはｅ−ＮｏｄｅＢ）であってよく、これは本発明においては限定されないことも理解されたい。
【００５２】
無線スペクトルリソースにおいては、異なる帯域（ｂａｎｄ）の物理周波数が重なることがあり、すなわち、１つの物理周波数が、異なる帯域に属することがある。各帯域は、いくつかのチャネル（ｃｈａｎｎｅｌ）を含み、各チャネルは、１つのＡＲＦＣＮ（ＬＴＥシステムにおいては、ＡＲＦＣＮは、ＥＡＦＲＣＮと呼ばれることもある。本明細書においては、記述の便宜上、ＡＲＦＣＮおよびＥＡＦＲＣＮは区別されず、ＡＲＦＣＮは、記述のために使用されており、これは本発明においては限定されない）に対応する。したがって１つのＡＲＦＣＮは、１つの物理周波数および１つの帯域を示す。しかしながら、ＡＲＦＣＮによって示された物理周波数は、１つまたは複数の帯域に対応することがある。現在、ＡＮＲメカニズムを使用することによって近隣セルを構成する実施プロセス中に、ＡＲＦＣＮによって示された物理周波数が、複数の帯域に属する場合には、ＵＥは、ＡＲＦＣＮによって示された物理周波数に従って１つのセルのＣＧＩを報告する。基地局は、ＣＧＩを、ＡＲＦＣＮおよびＰＣＩに関連付け、ＣＧＩ、ＡＲＦＣＮ、およびＰＣＩを、追加された近隣セルに関する情報として格納する。この方法においては、格納済みの近隣セルに関する情報は、不正確または不完全であることがある。たとえば、基地局の命令のもとで測定されたＡＲＦＣＮが５７９０に等しく、ＡＲＦＣＮ＝５７９０によって示された物理周波数が７４０ＭＨｚであり、７４０ＭＨｚの物理周波数を有するセルが、帯域１２および帯域１７の重なる物理周波数に属する。しかしながら基地局は、帯域１７を測定するよう指示し、基地局によって格納される近隣セルの帯域情報は、帯域１７である。したがって、下記の２つのシナリオが存在し得る。
【００５３】
シナリオ１：近隣セルが帯域１２に属する場合には、基地局は、不正確な帯域情報を格納する。
【００５４】
シナリオ２：近隣セルが帯域１２および帯域１７に属する場合には、基地局は、不完全な帯域情報を格納する。
【００５５】
セルハンドオーバーを実行する場合には、ＵＥは、基地局によって格納された近隣セルに関する情報に従ってハンドオーバー決定を実行する。基地局が、近隣セルに関する不正確または不完全な情報を格納しているので、必然的にＵＥは、不正確なハンドオーバー決定を実行することがあり、セルハンドオーバーを正常に実施することができない。たとえば、さまざまな帯域が、さまざまなパフォーマンスインジケータを定義する。ＵＥは、帯域１７をサポートし得るが、帯域１２をサポートしない。シナリオ１においては、基地局は間違って、ＵＥが近隣セルへハンドオーバーされることが可能であるとみなす。ＵＥが近隣セルへハンドオーバーされた場合には、ＵＥは近隣セルの帯域をサポートしていないので、ハンドオーバーは失敗する。
【００５６】
シナリオ２においては、ＵＥが帯域１２のみをサポートしており、帯域１７をサポートしていない場合には、基地局は間違って、ＵＥが近隣セルへハンドオーバーされることが不可能であるとみなし、実行されるべきハンドオーバーを停止する。したがって、ユーザのサービスが影響され得る。
【００５７】
本発明の実施形態は、通信方法を提供して、基地局が正しく完全な帯域情報を格納し、それによって、ハンドオーバー失敗などの問題を回避する。
【００５８】
本発明の実施形態において提供されている通信方法および通信デバイスは、図１において示されている通信アーキテクチャーに適用され得る。図１においては、第１の基地局と第２の基地局との間におけるインターフェースが、Ｘ２インターフェースと呼ばれ、第１の基地局および第２の基地局は、Ｘ２インターフェースセットアッププロセスを用いてそれぞれのセルの情報をやり取りし得る。基地局とＵＥとの間におけるインターフェースが、Ｕｕインターフェース、すなわちエアインターフェースである。基地局およびＵＥは、図１における第１の基地局とＵＥとの間におけるインターフェースなどのエアインターフェースを使用することによって互いに通信する。第１の基地局および第２の基地局は、モビリティー管理エンティティー（Ｍｏｂｉｌｉｔｙ  Ｍａｎａｇｅｍｅｎｔ  Ｅｎｔｉｔｙ、ＭＭＥ）およびサービングゲートウェイ（Ｓｅｒｖｉｎｇ  Ｇａｔｅｗａｙ、Ｓ−ＧＷ）と通信してもよく、詳細は、本発明のこの実施形態において記述されない。
【００５９】
図２Ａは、本発明の実施形態による通信方法の実施フローチャートである。図２Ａにおいて示されている方法は、基地局によって実行され、記述の便宜上、基地局は、本発明のこの実施形態においては第１の基地局と呼ばれる。図２Ａにおいて示されているように、方法は下記を含む。
【００６０】
Ｓ１０１：第１の基地局が、測定構成を含むメッセージをＵＥへ送信する。
【００６１】
本発明のこの実施形態においては、測定構成は、指定されたセルのセルグローバル識別子を報告するようＵＥに要求するために使用され、指定されたセルは、たとえば、第１の基地局によって認識され、かつ近隣セルとして使用されることになるセルであり得る。本発明のこの実施形態に関わるセルグローバル識別子は、ＣＧＩであってよく、または進化型ユニバーサルモバイルテレコミュニケーションズシステムテレストリアル無線アクセスネットワークセルグローバル識別子（Ｅ−ＵＴＲＡＮ  Ｃｅｌｌ  Ｇｌｏｂａｌ  Ｉｄｅｎｔｉｆｉｅｒ、ＥＣＧＩ）であってよく、これは本発明のこの実施形態においては限定されないということに留意されたい。本発明のこの実施形態は、指定されたセルのＣＧＩを報告するようＵＥが要求される例を使用することによって記述されている。この方法においては、測定構成は、セルグローバル識別子（ｒｅｐｏｒｔＣＧＩ）を測定および報告することとして構成され得る。すなわち、本発明のこの実施形態は、測定構成がｒｅｐｏｒｔＣＧＩである例を使用することによって記述されている。
【００６２】
本発明のこの実施形態においては、第１の基地局によってＵＥへ送信されるメッセージは、無線リソース制御（Ｒａｄｉｏ  Ｒｅｓｏｕｒｃｅ  Ｃｏｎｔｒｏｌ、ＲＲＣ）メッセージであり得る。任意選択で、本発明のこの実施形態におけるメッセージは、ＲＲＣ接続再構成メッセージであり得る。
【００６３】
Ｓ１０２：第１の基地局は、ＵＥによって報告された測定レポートを取得する。
【００６４】
本発明のこの実施形態においては、第１の基地局によって送信され、かつｒｅｐｏｒｔＣＧＩを含むメッセージを受信した後に、ＵＥは、測定を実行し、第１の基地局によって示されたセルのＣＧＩを取得し、セルのシステム情報を読み取り、セルの帯域情報を取得し、測定レポートを生成する。測定レポートは、ｒｅｐｏｒｔＣＧＩに対応し、セルのＣＧＩおよびセルの帯域情報を含む。
【００６５】
本発明のこの実施形態においては、第１の基地局によって取得されるセルの帯域情報は、下記のとおりであることがある。
【００６６】
Ａ：１つの帯域がセル用に構成されている場合には、帯域情報は、セル用に構成されている帯域を含む。セル用に構成されている帯域は、システムメッセージにおける帯域インジケータ（ｆｒｅｑＢａｎｄＩｎｄｉｃａｔｏｒ）情報要素において搬送される。
【００６７】
Ｂ：少なくとも２つの帯域がセル用に構成されている場合には、帯域情報は、セル用に構成されている帯域、およびセル用に構成されているさらなる帯域リストを含む。セル用に構成されているさらなる帯域リストは、セル用に構成されている帯域以外の別の帯域に関する情報を格納するために使用される。セル用に構成されている帯域に関する情報は、システムメッセージにおけるｆｒｅｑＢａｎｄＩｎｄｉｃａｔｏｒ情報要素において搬送される。セル用に構成されているさらなる帯域リストは、セルの物理周波数が、複数の帯域に属する場合には、マルチバンドインジケータ（ｍｕｌｔｉＢａｎｄＩｎｆｏＬｉｓｔ）情報要素において搬送される。
【００６８】
本発明においては、ｆｒｅｑＢａｎｄＩｎｄｉｃａｔｏｒ情報要素において搬送される帯域は、構成された帯域と呼ばれることに留意されたい。構成された帯域を除いて、他の帯域が、ｍｕｌｔｉＢａｎｄＩｎｆｏＬｉｓｔ情報要素において搬送される。本発明においては、ｍｕｌｔｉＢａｎｄＩｎｆｏＬｉｓｔ情報要素において搬送される帯域は、構成されたさらなる帯域リストと呼ばれる。前のバージョンのＵＥは、ｆｒｅｑＢａｎｄＩｎｄｉｃａｔｏｒ情報要素のみを認識することができ、ｍｕｌｔｉＢａｎｄＩｎｆｏＬｉｓｔ情報要素を認識することはできない。複数の帯域が構成されるセルをオペレータが設定する場合には、どの帯域がｆｒｅｑＢａｎｄＩｎｄｉｃａｔｏｒにおいて搬送されるかは、オペレータのポリシーに依拠する。
【００６９】
前の通信バージョンにおいては、１つの帯域のみが１つのセル用に構成されることが可能であり、すなわち、帯域は、ｆｒｅｑＢａｎｄＩｎｄｉｃａｔｏｒ情報要素において搬送される。本発明においては、ｆｒｅｑＢａｎｄＩｎｄｉｃａｔｏｒ情報要素において搬送される帯域は、構成された帯域と呼ばれる。後の通信バージョンにおいては、複数の帯域が１つのセル用に構成されることが可能である。最初に構成された帯域を除いて、他の帯域が、ｍｕｌｔｉＢａｎｄＩｎｆｏＬｉｓｔ情報要素において搬送される。本発明においては、ｍｕｌｔｉＢａｎｄＩｎｆｏＬｉｓｔ情報要素において搬送される帯域は、構成されたさらなる帯域リストと呼ばれる。前の通信バージョンにおいては、ＵＥは、ｆｒｅｑＢａｎｄＩｎｄｉｃａｔｏｒ情報要素のみを認識することができ、ｍｕｌｔｉＢａｎｄＩｎｆｏＬｉｓｔ情報要素を認識することはできない。複数の帯域が構成されるセルをオペレータが設定する場合には、どの帯域がｆｒｅｑＢａｎｄＩｎｄｉｃａｔｏｒにおいて搬送されるかは、オペレータのポリシーに依拠する。
【００７０】
任意選択で、本発明のこの実施形態においては、少なくとも２つの帯域がセル用に構成されている場合、すなわち、ｍｕｌｔｉＢａｎｄＩｎｆｏＬｉｓｔ情報要素がブロードキャストされ、帯域優先度情報がセルのシステム情報においてブロードキャストされる場合には、測定レポートは、帯域優先度情報を含んでよく、帯域優先度情報は、セル用に構成されているさらなる帯域リスト内の帯域の優先度が、セル用に構成されている帯域の優先度よりも高いかどうかを示すために使用される。帯域優先度情報は、帯域優先度インジケータ（ｆｒｅｑＢａｎｄＩｎｄｉｃａｔｏｒ）情報要素において搬送される。
【００７１】
Ｓ１０３：第１の基地局は、セルの帯域情報およびＣＧＩに基づいてセルハンドオーバーを実行する。
【００７２】
本発明のこの実施形態においては、第１の基地局は、セルの帯域情報を格納してよく、すなわち、第１の基地局は、セルの完全なおよび正確な帯域情報を格納する。ＡＮＲメカニズムを使用することによってセルが近隣セルとして使用されている場合には、セルがその後にセルハンドオーバーのためのターゲットセルとして使用されたときに、第１の基地局は、ＵＥの性能と、近隣セルの格納されている完全なおよび正確な情報とに基づいてセルハンドオーバーを実行し得る。
【００７３】
本発明のこの実施形態においては、第１の基地局は、近隣セルの格納されている帯域情報に基づいてセルハンドオーバー決定を実行し得る、すなわち、ターゲットセルとして使用されるセルへＵＥがハンドオーバーされることが可能であるかどうかを決定し得る。ターゲットセルとして使用されるセルへＵＥがハンドオーバーされることが可能であるかどうかを特定するために、次の方法が使用され得る。すなわち、ＵＥがセルの帯域情報内の１つの帯域をサポートしている場合には、ＵＥはセルへハンドオーバーされることが可能であり、そうでない場合には、ＵＥはハンドオーバーされることが不可能であるとみなされる。
【００７４】
本発明のこの実施形態においては、近隣セルの格納されている帯域情報に基づいてセルハンドオーバー決定を実行するプロセスは、測定レポートを報告するＵＥには限定されないが、測定レポートを報告するＵＥ以外の別のＵＥに適用され得るということに留意されたい。
【００７５】
任意選択で、本発明のこの実施形態においては、特定の実施中に、第１の基地局は、セルの帯域情報を報告するかどうかをＵＥに指示するために指示情報をＵＥへ送信し得る。すなわち、ＵＥによって報告された測定レポートを第１の基地局が受信する前に、方法は、下記のステップをさらに含み得る。
【００７６】
Ｓ１０１ａ：第１の基地局は、指示情報を送信し、指示情報は、セルの帯域情報を報告するようＵＥに指示するために使用される。
【００７７】
本発明のこの実施形態においては、第１の基地局によって送信される指示情報は、第１の基地局によってＵＥへ送信され、かつ測定構成を含むメッセージ内に含まれ得る。メッセージは、ＲＲＣ接続再構成情報などのＲＲＣ情報であり得る。
【００７８】
任意選択で、セルの中央物理周波数が、複数の帯域に属する場合には、第１の基地局は指示情報を送信し、そうでない場合には、エアインターフェースのシグナリングオーバーヘッドを省くように、第１の基地局は指示情報を送信しない。
【００７９】
本発明のこの実施形態においては、通信方法に含まれているＳ１０１ａの実施プロセスに関して、図２Ｂを参照されたい。
【００８０】
任意選択で、さらに、ＵＥが帯域情報の報告をサポートしているかどうかは、ＵＥの性能である。したがって、指示情報を送信する前に、第１の基地局はさらに、ＵＥによって報告される性能情報を取得し、性能情報に従って、ＵＥが帯域情報の報告をサポートしていることを決定し、ＵＥが帯域情報の報告をサポートしていることを決定した場合には、帯域情報を報告するようＵＥに指示するために指示情報をＵＥへ送信し得る。すなわち、図２Ｂに基づいて、方法は、下記のステップをさらに含み得る。
【００８１】
Ｓ１０１ｂ：ＵＥによって報告される性能情報を取得し、性能情報は、ＵＥがセルの帯域情報の報告をサポートしているかどうかを示すために使用される。
【００８２】
Ｓ１０１ｃ：性能情報に従って、ＵＥがセルの帯域情報の報告をサポートしていることを決定する。
【００８３】
本発明のこの実施形態においては、通信方法に含まれているＳ１０１ｂおよびＳ１０１ｃの実施プロセスに関して、図２Ｃを参照されたい。
【００８４】
本発明のこの実施形態においては、基地局が、ｒｅｐｏｒｔＣＧＩの測定を用いてセルの帯域情報、またはセルの帯域情報および帯域優先度情報を取得し、それによって基地局は、セルの完全なおよび正確な帯域情報を格納する。したがって基地局は、正確なハンドオーバー決定を実行し、それによってハンドオーバー失敗を回避する。
【００８５】
特定の実施中に、本発明のこの実施形態は、前述の実施様式には限定されない。たとえば、本発明のこの実施形態においては、新たなＲＲＣプロセスが、近隣セルとして使用されるセルに関する情報を取得するために定義され得る。基地局は、要求メッセージをＵＥへ送信し、要求メッセージは、セルの帯域情報を取得することを要求するために使用され、要求メッセージは、セルを指定するためのＡＲＦＣＮ、ＰＣＩ、および／またはＣＧＩなどの情報を含み得る。ＵＥは、セルのシステム情報を読み取って帯域情報を取得し、次いでＵＥは、帯域情報を含む応答メッセージを基地局へ送信し、それによって基地局は、近隣セルとして使用されるセルの正確なおよび完全な帯域情報を格納する。
【００８６】
ソース基地局およびターゲット基地局が、Ｘ２インターフェースを使用することによってハンドオーバーを実行する場合には、ソース基地局は、ターゲットセルのダウンリンクＡＲＦＣＮをパラメータとして使用してキーを得て、得られたキーをターゲット基地局へ送信し、それによって、ハンドオーバーが完了された後に、ターゲット基地局は、キーを使用することによってＵＥと通信する。ＵＥは、ターゲット基地局によって決定されたターゲットセルのダウンリンクＡＲＦＣＮを受信し、ダウンリンクＡＲＦＣＮに基づいてキーを得て、それによって、ハンドオーバーが完了された後に、ＵＥは、キーを使用することによって基地局と通信する。ＵＥによって得られるキー、およびソース基地局によって得られるキーは同じである必要があり、これは、ソース基地局およびＵＥが、同じＡＲＦＣＮを使用してキーを得る必要があるということを要求する。さらに、ターゲットセルの中央物理周波数が、複数の帯域に属する場合には、ＵＥに関してソース基地局およびターゲット基地局によって選択されるターゲットセルの帯域は同じである必要がある。物理周波数チャネル番号が決定されるので、帯域が選択された場合には、ＡＲＦＣＮが選択される。言い換えると、ＵＥに関してソース基地局およびターゲット基地局によって選択されるターゲットセルのダウンリンクＡＲＦＣＮは同じである必要がある。したがって、ソース基地局によって格納された近隣セルの帯域情報が不正確もしくは不完全である場合、またはソース基地局によって格納された帯域情報が、ターゲット基地局によって格納された帯域情報とは異なる場合には、ソース基地局によって選択される帯域は、ターゲット基地局によって選択される帯域とは異なり得る。したがって、ＵＥおよびターゲット基地局は、別々のキーを使用し、ハンドオーバー失敗につながる。Ｘ２インターフェースを使用することによるハンドオーバープロセス中に、ソース基地局は、ターゲット基地局の、ターゲットセル以外の別のセルに関するキーを得てよい。（別の）セルは、潜在的な再確立プロセスに応答するように、潜在的な再確立準備セルとして使用される。（別の）セルのダウンリンクＡＲＦＣＮは、キーを得るためのパラメータとして使用されることがあり、同じ問題がまた存在する。
【００８７】
本発明のこの実施形態においては、Ｘ２インターフェースを使用することによってハンドオーバーが実行され、かつ（ハンドオーバーのターゲットセル、または潜在的な再確立準備セルとして使用される）セルに関してキーが得られる必要がある場合には、第１の基地局は、セルの帯域情報、またはセルの帯域情報および帯域優先度情報に基づいてＵＥに関するダウンリンクＡＲＦＣＮを選択し、ダウンリンクＡＲＦＣＮに基づいてキーを得て、得られたキーを第２の基地局へ送信し得る。第２の基地局は、第１の基地局とのＸ２インターフェースをセットアップする基地局であり、Ｘ２ハンドオーバーのためのターゲット基地局として使用されることがあり、セルは、第２の基地局に属する。
【００８８】
本発明のこの実施形態においては、第１の基地局は、ターゲットセルとして使用されるセルの帯域情報、またはセルの帯域情報および帯域優先度情報を取得する。したがって、ソース基地局として使用される第１の基地局、およびターゲット基地局として使用される第２の基地局は、同じルールに基づいてＵＥ用に同じ帯域を選択し、ＵＥは、帯域をパラメータとして使用してキーを得て、それによって、得られたキーは同じであり、それによってハンドオーバー失敗を回避する。
【００８９】
本発明のこの実施形態においては、基地局が、ｒｅｐｏｒｔＣＧＩの測定を用いてセルの帯域情報、またはセルの帯域情報および帯域優先度情報を取得し、それによって基地局は、セルの完全および正確な帯域情報を取得し、正確なハンドオーバー決定を実行することができ、ソース基地局によって選択される帯域は、ターゲット基地局によって選択される帯域と同じであり、それによってハンドオーバー失敗を回避する。
【００９０】
現在、２つの基地局がＸ２インターフェースをセットアップする場合に、２つの基地局は、それぞれのセルの帯域情報をやり取りし得る、すなわち、それぞれのセルのＡＲＦＣＮ、対応するｆｒｅｑＢａｎｄＩｎｄｉｃａｔｏｒ情報要素内の帯域、およびｍｕｌｔｉＢａｎｄＩｎｆｏＬｉｓｔ情報要素内のさらなる帯域リストをやり取りし得る。しかしながら、セルが複数の帯域に属する場合、すなわち、ｍｕｌｔｉＢａｎｄＩｎｆｏＬｉｓｔ情報要素がブロードキャストされる場合には、基地局は、ｆｒｅｑＢａｎｄＩｎｄｉｃａｔｏｒＰｒｉｏｒｉｔｙ情報要素がブロードキャストされるかどうかに従って、ＵＥ用の帯域を選択するために異なる選択メカニズムを使用する、すなわち、
ｆｒｅｑＢａｎｄＩｎｄｉｃａｔｏｒＰｒｉｏｒｉｔｙ情報要素がブロードキャストされ、ＵＥが特徴をサポートしている場合には、ｍｕｌｔｉＢａｎｄＩｎｆｏＬｉｓｔ内に示され、かつＵＥによってサポートされている帯域が、ＵＥ用に優先的に選択される。ｍｕｌｔｉＢａｎｄＩｎｆｏＬｉｓｔ内の帯域のより高いランクは、帯域のより高い優先度を示す、すなわち、ｍｕｌｔｉＢａｎｄＩｎｆｏＬｉｓｔ内にリストアップされている帯域の中でＵＥによってサポートされている第１の帯域が選択され、ｍｕｌｔｉＢａｎｄＩｎｆｏＬｉｓｔ内にリストアップされている帯域のうちのいずれもＵＥによってサポートされていない場合には、ｆｒｅｑＢａｎｄＩｎｄｉｃａｔｏｒによって示されている帯域が選択される、または
ｆｒｅｑＢａｎｄＩｎｄｉｃａｔｏｒＰｒｉｏｒｉｔｙがブロードキャストされていない、またはＵＥが特徴をサポートしていない場合には、ｆｒｅｑＢａｎｄＩｎｄｉｃａｔｏｒによって示されている帯域をＵＥがサポートしているかどうかが決定され、ｆｒｅｑＢａｎｄＩｎｄｉｃａｔｏｒによって示されている帯域をＵＥがサポートしている場合には、ｆｒｅｑＢａｎｄＩｎｄｉｃａｔｏｒによって示されている帯域が選択され、ｆｒｅｑＢａｎｄＩｎｄｉｃａｔｏｒによって示されている帯域をＵＥがサポートしていない場合には、ｍｕｌｔｉＢａｎｄＩｎｆｏＬｉｓｔ内に示され、かつＵＥによってサポートされている帯域が選択される。ｍｕｌｔｉＢａｎｄＩｎｆｏＬｉｓｔ内の帯域のより高いランクは、帯域のより高い優先度を示す、すなわち、ｍｕｌｔｉＢａｎｄＩｎｆｏＬｉｓｔ内にリストアップされている帯域の中でＵＥによってサポートされている第１の帯域が選択される。
【００９１】
本発明の別の実施形態においては、帯域情報に加えて、Ｘ２インターフェースを使用することによってハンドオーバーが実行される場合には、ソース基地局およびターゲット基地局はさらに、帯域優先度情報をやり取りし、それによって、Ｘ２ハンドオーバーが実行される場合に、ソース基地局によってＵＥ用に選択される帯域は、ターゲット基地局によって選択される帯域と同じであり、それによってハンドオーバー失敗を回避する。
【００９２】
図３Ａは、本発明の実施形態による別の通信方法の実施フローチャートである。図３Ａにおいて示されているように、方法は下記を含む。
【００９３】
Ｓ２０１：第１の基地局が、第２の基地局のセルの帯域優先度情報を取得する。
【００９４】
本発明のこの実施形態においては、帯域優先度情報は、セル用に構成されているさらなる帯域リスト内の帯域の優先度が、セル用に構成されている帯域の優先度よりも高いかどうかを示すために使用される。
【００９５】
本発明のこの実施形態においては、第１の基地局および第２の基地局は、Ｘ２インターフェースをセットアップする２つの基地局である。Ｘ２セットアップ要求メッセージは、第１の基地局によって送信されてよく、またはＸ２セットアップ要求メッセージは、第２の基地局によって送信されてよい。
【００９６】
本発明のこの実施形態においては、Ｘ２セットアップ要求メッセージが第１の基地局によって送信される場合には、第１の基地局は、第２の基地局のセルの帯域優先度情報を下記の態様で取得し得る。
【００９７】
第１の基地局は、Ｘ２セットアップ要求メッセージを第２の基地局へ送信し、第２の基地局は、第１の基地局によって送信されたＸ２セットアップ要求メッセージを受信し、Ｘ２セットアップ要求メッセージの応答情報を第１の基地局へ送信し、第１の基地局は、Ｘ２セットアップ要求メッセージの、第２の基地局によって送信された応答情報を受信し、応答情報は、セルの帯域優先度情報を含む。
【００９８】
本発明のこの実施形態においては、Ｘ２セットアップ要求メッセージが第２の基地局によって送信される場合には、第１の基地局は、第２の基地局のセルの帯域優先度情報を下記の態様で取得し得る。
【００９９】
第２の基地局は、Ｘ２セットアップ要求メッセージを第１の基地局へ送信し、Ｘ２セットアップ要求メッセージは、セルの帯域優先度情報を含み、第１の基地局は、第２の基地局によって送信されたＸ２セットアップ要求メッセージを受信し、Ｘ２セットアップ要求メッセージは、セルの帯域優先度情報を含む。
【０１００】
Ｘ２インターフェースセットアッププロセスを用いてセルの帯域優先度情報が取得されることに加えて、可能な方法がある、すなわち、第２の基地局用に構成されるオペレータネットワークが、全体的に均一な優先度情報を使用することによって構成され、第１の基地局は、均一なまたは固定された優先度情報構成を直接に使用する。しかしながら、方法は柔軟性を制限することがある。
【０１０１】
Ｓ２０２：Ｘ２インターフェースを使用することによってハンドオーバーが実行される場合には、第１の基地局は、セルの帯域優先度情報に基づいてＵＥに関するダウンリンクＡＲＦＣＮを選択する。
【０１０２】
Ｓ２０３：第１の基地局は、ダウンリンクＡＲＦＣＮに基づいてキーを得て、キーを第２の基地局へ送信する。
【０１０３】
本発明のこの実施形態においては、帯域情報に加えて、Ｘ２インターフェースを使用することによってハンドオーバーが実行される場合には、ソース基地局およびターゲット基地局はさらに、帯域優先度情報をやり取りし、それによって、Ｘ２ハンドオーバーが実行される場合に、ソース基地局およびターゲット基地局は、同じ選択メカニズムに基づいてＵＥに関するダウンリンクＡＲＦＣＮを選択する。したがって、ソース基地局によってＵＥ用に選択される帯域は、ターゲット基地局によって選択される帯域と同じであり、それによってハンドオーバー失敗を回避する。
【０１０４】
本発明のこの実施形態の特定の適用シナリオが、図３Ｂにおいて示される。
【０１０５】
Ｓ３０１：第１の基地局が、新たな近隣セルを認識し、次いで第１の基地局は、ｒｅｐｏｒｔＣＧＩの測定タスクを配信することによって、新たに認識された近隣セルのＣＧＩを取得し、第２の基地局とのＸ２インターフェースをセットアップすることを決定する。
【０１０６】
Ｓ３０２：第１の基地局は、Ｘ２セットアップ要求（Ｘ２  ＳＥＴＵＰ  ＲＥＱＵＥＳＴ）メッセージを第２の基地局へ送信し、Ｘ２  ＳＥＴＵＰ  ＲＥＱＵＥＳＴメッセージは、第１の基地局のセルの帯域情報および帯域優先度情報を含む。
【０１０７】
Ｓ３０３：第１の基地局によって送信されたＸ２  ＳＥＴＵＰ  ＲＥＱＵＥＳＴメッセージを受信した後に、第２の基地局は、Ｘ２  ＳＥＴＵＰ  ＲＥＳＰＯＮＳＥメッセージを用いて応答（Ｘ２セットアップ要求への応答）を行い、Ｘ２  ＳＥＴＵＰ  ＲＥＳＰＯＮＳＥメッセージは、第２の基地局のセルの帯域情報および帯域優先度情報を含む。
【０１０８】
Ｓ３０４：第１の基地局および第２の基地局はそれぞれ、相手方の近隣セルとして使用されているセルの帯域優先度情報を格納し、当然のことながら、帯域情報をさらに格納する。
【０１０９】
Ｓ３０５：近隣セル、すなわち、第２の基地局のセルが、セルハンドオーバーのためのターゲットセルとして使用される場合には、第１の基地局は、ＵＥの性能、ならびにターゲットセルの帯域情報および帯域優先度情報に基づいてＵＥ用の帯域を選択し、すなわち、ダウンリンクＡＲＦＣＮを選択し、第１の基地局は、選択されたダウンリンクＡＲＦＣＮに基づいてキーを得て、得られたキーを第２の基地局へ送信する。
【０１１０】
本発明のこの実施形態においては、Ｘ２インターフェースを使用することによって帯域優先度情報がやり取りされ、それによって、ソース基地局およびターゲット基地局は、帯域情報および帯域優先度情報を格納する。したがって、同じ選択メカニズムに基づいて帯域選択を実行する場合には、ソース基地局およびターゲット基地局は、やり取りされた帯域優先度情報に基づいてＵＥ用の帯域を選択してよく、それによって、ソース基地局によってＵＥ用に選択される帯域は、ターゲット基地局によってＵＥ用に選択される帯域と同じであり、それによってハンドオーバー失敗を回避する。
【０１１１】
本発明のこの実施形態においては、Ｘ２インターフェースを使用することによって帯域情報がやり取りされることに加えて、隣接基地局の構成が変わった場合、たとえば、セルが隣接基地局に追加された場合、または隣接基地局のセルの帯域優先度情報が変わった場合には、隣接基地局は、基地局構成更新情報を送信することがあり、隣接基地局のセルの帯域優先度情報を現在の基地局に通知し得るようにすることに留意されたい。
【０１１２】
本発明のさらに別の実施形態においては、本発明のこの実施形態に含まれる通信方法が、ＵＥを実行体として使用することによって記述される。図４Ａは、本発明の実施形態によるさらに別の通信方法の実施フローチャートである。図４Ａにおいて示されているように、方法は下記を含む。
【０１１３】
Ｓ４０１：ＵＥが、第１の基地局によって送信される、かつ測定構成を含むメッセージを受信する。
【０１１４】
本発明のこの実施形態においては、測定構成は、セルのＣＧＩを報告するようＵＥに要求するために使用される。本発明のこの実施形態は、測定構成がｒｅｐｏｒｔＣＧＩである例を使用することによって記述される。
【０１１５】
Ｓ４０２：ＵＥは、測定レポートを報告し、測定レポートは、セルのＣＧＩおよびセルの帯域情報を含む。
【０１１６】
任意選択で、本発明のこの実施形態においては、ＵＥが測定レポートを報告する前に、方法は、次のステップ、すなわち、
ＵＥによって、セルのＣＧＩおよびセルの帯域情報を取得し、測定レポートを生成するステップをさらに含み得る。
【０１１７】
本発明のこの実施形態においては、ｒｅｐｏｒｔＣＧＩを含むメッセージを受信した後に、ＵＥは、測定を実行し、基地局によって示されるセルのＣＧＩを取得し、セルのシステム情報を読み取り、セルの帯域情報を取得し、測定レポートを生成する。
【０１１８】
本発明のこの実施形態においては、１つの帯域がセル用に構成されている場合には、帯域情報は、セル用に構成されている帯域を含み、少なくとも２つの帯域がセル用に構成されている場合には、帯域情報は、セル用に構成されている帯域、およびセル用に構成されているさらなる帯域リストを含む。
【０１１９】
任意選択で、さらに、少なくとも２つの帯域がセル用に構成されている場合には、測定レポートは、セルの帯域優先度情報をさらに含み、帯域優先度情報は、セル用に構成されているさらなる帯域リスト内の帯域の優先度が、セル用に構成されている帯域の優先度よりも高いかどうかを示すために使用される。
【０１２０】
任意選択で、ＵＥがセルの帯域情報を取得する前に、方法は、図４Ｂにおいて示されているように、ステップＳ４０１ａをさらに含み得る。
【０１２１】
Ｓ４０１ａ：ＵＥは、第１の基地局によって送信された指示情報を受信し、指示情報は、セルの帯域情報を報告するようＵＥに指示するために使用される。
【０１２２】
本発明のこの実施形態においては、第１の指示メッセージがメッセージ内に含まれてよく、メッセージはＲＲＣ接続再構成メッセージであり得る。
【０１２３】
任意選択で、本発明のこの実施形態においては、ＵＥは、性能情報をさらに報告してよく、すなわち、この方法は、図４Ｃにおいて示されているように、ステップＳ４０１ｂをさらに含み得る。
【０１２４】
Ｓ４０１ｂ：ＵＥは、性能情報を報告し、性能情報は、ＵＥがセルの帯域情報の報告をサポートしているかどうかを示すために使用される。
【０１２５】
本発明のこの実施形態においては、ＵＥは、ｒｅｐｏｒｔＣＧＩの測定に基づいてセルの帯域情報を読み取り、帯域情報を第１の基地局へ報告し、それによって第１の基地局は、ｒｅｐｏｒｔＣＧＩの測定を用いてセルの帯域情報、または帯域情報および帯域優先度情報を取得する。したがって第１の基地局は、セルの完全なおよび正確な帯域情報を格納し、それによって第１の基地局は、正確なハンドオーバー決定を実行し、それによってハンドオーバー失敗を回避する。
【０１２６】
本発明のこの実施形態においては、ＵＥ側がｒｅｐｏｒｔＣＧＩの測定を実行し、セルの帯域情報を読み取り、セルの帯域情報を含む測定レポートを第１の基地局へ報告する実行プロセスに関しては、第１の基地局によって実行される方法の実施プロセスを参照されたく、詳細はここでは記述されていないということに留意されたい。
【０１２７】
図５は、本発明の実施形態において提供されている通信方法を使用することによるＵＥと基地局との間における対話の概略図である。図５において示されているように、実施プロセスは下記を含む。
【０１２８】
Ｓ５０１：基地局が、ＲＲＣメッセージをＵＥへ送信し、ＲＲＣメッセージは、測定構成を含む。
【０１２９】
本発明のこの実施形態においては、新たな近隣セルを基地局が認識した場合には、基地局は、ＲＲＣメッセージをＵＥへ送信し、ＲＲＣメッセージは、ＲＲＣ接続再構成メッセージであってよく、ＲＲＣメッセージは、測定構成を含み、測定構成は、指定されたセルのＣＧＩを報告するようＵＥに要求するために使用される。本発明のこの実施形態においては、測定構成の目的が、ｒｅｐｏｒｔＣＧＩを測定することである場合には、測定構成は、指定されたセルのＣＧＩを報告するようＵＥに要求するために使用される。
【０１３０】
任意選択で、本発明のこの実施形態においては、基地局によって送信されるＲＲＣメッセージは、指示情報を含んでよく、指示情報は、新たに認識された近隣セルの帯域情報を報告するかどうかをＵＥに指示するために使用される。
【０１３１】
任意選択で、ＵＥが帯域情報の報告をサポートしているかどうかは、ＵＥの性能である。したがって、本発明のこの実施形態においては、基地局が、ＵＥの性能に従って、ＵＥが帯域情報の報告をサポートしていると決定した後に、ＲＲＣメッセージは、帯域情報を報告するようＵＥに指示するために使用される指示情報を含む。
【０１３２】
Ｓ５０２：ＵＥは、測定を実行し、新たに認識された近隣セルのＣＧＩを取得し、新たに認識された近隣セルのシステム情報を読み取り、新たに認識された近隣セルの帯域情報および／または帯域優先度情報を取得し、測定レポートを生成する。
【０１３３】
具体的には、ＵＥは、セルのシステム情報ブロックタイプ１（Ｓｙｓｔｅｍ  Ｉｎｆｏｒｍａｔｉｏｎ  Ｂｌｏｃｋ  Ｔｙｐｅ１、ＳＩＢ１）を読み取って、帯域情報および／または帯域優先度情報を取得し得る。セルが、１つの帯域にのみ属する場合には、セルブロードキャストが、ｆｒｅｑＢａｎｄＩｎｄｉｃａｔｏｒのみをブロードキャストし、ＵＥによって読み取られる帯域情報は、セル用に構成されている帯域を含む。セルが、複数の帯域に属する場合には、ｆｒｅｑＢａｎｄＩｎｄｉｃａｔｏｒに加えて、セルブロードキャストは、セル用に構成されているさらなる帯域リスト（ｍｕｌｔｉＢａｎｄＩｎｆｏＬｉｓｔ）をさらにブロードキャストする。したがって、ＵＥによって読み取られる帯域情報は、セル用に構成されている帯域（ｆｒｅｑＢａｎｄＩｎｄｉｃａｔｏｒ）、およびセル用に構成されているさらなる帯域リスト（ｍｕｌｔｉＢａｎｄＩｎｆｏＬｉｓｔ）を含む。
【０１３４】
セルが、複数の帯域に属する場合には、セルのシステム情報はまた、ｆｒｅｑＢａｎｄＩｎｄｉｃａｔｏｒＰｒｉｏｒｉｔｙをブロードキャストし得る。ｆｒｅｑＢａｎｄＩｎｄｉｃａｔｏｒＰｒｉｏｒｉｔｙがブロードキャストされる場合には、ｍｕｌｔｉＢａｎｄＩｎｆｏＬｉｓｔ内の帯域の優先度は、ｆｒｅｑＢａｎｄＩｎｄｉｃａｔｏｒによって示される帯域の優先度よりも高く、そうでない場合には、ｆｒｅｑＢａｎｄＩｎｄｉｃａｔｏｒによって示される帯域の優先度は、ｍｕｌｔｉＢａｎｄＩｎｆｏＬｉｓｔ内の帯域の優先度よりも高い。ｆｒｅｑＢａｎｄＩｎｄｉｃａｔｏｒＰｒｉｏｒｉｔｙをブロードキャストするかどうかは、オペレータのポリシーに依拠する。
【０１３５】
Ｓ５０３：ＵＥは、読み取られるｆｒｅｑＢａｎｄＩｎｄｉｃａｔｏｒ、ｍｕｌｔｉＢａｎｄＩｎｆｏＬｉｓｔ、および／またはｆｒｅｑＢａｎｄＩｎｄｉｃａｔｏｒＰｒｉｏｒｉｔｙを測定レポートに加えて、測定レポートを生成する。
【０１３６】
Ｓ５０４：ＵＥは、測定レポートを基地局へ報告し、測定レポートは、ＣＧＩに加えて、帯域情報および／または帯域優先度情報をさらに含む。
【０１３７】
Ｓ５０５：基地局は、近隣セルに関連した取得された帯域情報および／または帯域優先度情報を格納する。
【０１３８】
ステップＳ５０５は任意選択のステップであるということに留意されたい。
【０１３９】
Ｓ５０６：基地局は、ＵＥの性能および近隣セルの帯域情報に基づいて、ＵＥが近隣セルへハンドオーバーされることが可能であるかどうかを決定し、すなわち、ＵＥが近隣セルの帯域情報内のいずれかの帯域をサポートしている場合には、ＵＥは近隣セルへハンドオーバーされることが可能であるとみなされ、そうでない場合には、ＵＥはハンドオーバーされることが不可能である。
【０１４０】
本発明のこの実施形態においては、基地局が近隣セルの正確な情報を格納し、その後に、帯域情報を報告するＵＥとは異なり得るいずれのＵＥに関して、ＵＥがハンドオーバーされるターゲットセルとして近隣セルが使用される場合には、基地局は、近隣セルの情報に基づいてハンドオーバー決定を実行し、ＵＥ用に、対応する帯域、すなわちダウンリンクＡＲＦＣＮをさらに選択してよく、それによってＵＥは、キーを得るためのパラメータとしてダウンリンクＡＲＦＣＮを使用する。
【０１４１】
本発明のこの実施形態において提供されている通信方法を用いて、ソース基地局によって取得される近隣セルの情報は、ターゲット基地局によって取得される近隣セルの情報と同じであり、すなわち、情報要素ｆｒｅｑＢａｎｄＩｎｄｉｃａｔｏｒ、ｍｕｌｔｉＢａｎｄＩｎｆｏＬｉｓｔ、およびｆｒｅｑＢａｎｄＩｎｄｉｃａｔｏｒＰｒｉｏｒｉｔｙが取得される。したがって、ソース基地局およびターゲット基地局は、同じルールに基づいてＵＥ用に同じ帯域を選択し、ＵＥは、キーを得るためのパラメータとして帯域を使用する。したがって、得られたキーは同じであり、それによって、ハンドオーバー失敗の問題を効果的に回避する。
【０１４２】
本発明のこの実施形態の別の実施様式においては、測定構成を受信すると、ＵＥは、測定を実行し、セルのＣＧＩを取得し、測定構成内に含まれているＡＲＦＣＮに対応する帯域が、セル用に構成されている帯域であるかどうか、またはセル用に構成されているさらなる帯域リスト内に配置されているかどうかをチェックする。測定構成内に含まれているＡＲＦＣＮが、セル用に構成されている帯域に属しておらず、セル用に構成されているさらなる帯域リスト内に配置されていない場合には、ＵＥは、セルの取得されたＣＧＩを報告せずに、不正確な帯域情報をセットアップすることによってもたらされるハンドオーバー失敗を回避するようにする。実施プロセスが、図６において示されており、下記を含む。
【０１４３】
Ｓ６０１：基地局が、ＲＲＣ接続再構成メッセージをＵＥへ送信し、ＲＲＣ接続再構成メッセージは、測定構成ｒｅｐｏｒｔＣＧＩを含む。
【０１４４】
Ｓ６０２：ＵＥは、測定構成内に含まれているＡＲＦＣＮに対応する帯域が、セル用に構成されている帯域であるかどうか、またはセル用に構成されているさらなる帯域リスト内に配置されているかどうかをチェックし、「はい」である場合には、ＵＥは測定レポートを生成し、そうでない場合には、ＵＥは測定レポートを生成しない。
【０１４５】
Ｓ６０３：ＵＥは、測定レポートを基地局へ送信する。
【０１４６】
本発明のこの実施形態における解決策を用いることによって、基地局によって格納される近隣セルの帯域情報は、不完全であり得るが、正しい。基地局が近隣セルの基地局とのＸ２インターフェースをセットアップしている場合には、前述の実施形態における、Ｘ２インターフェースを使用することによって帯域優先度情報をやり取りする方法を使用することによって、完全および正しい帯域情報が取得され得る。基地局が近隣セルの基地局とのＸ２インターフェースをセットアップしていない場合には、近隣セルへのＵＥのハンドオーバーは低減され得る。しかしながら、ＵＥが近隣セルの帯域をサポートしていないという事実のためにハンドオーバー失敗がもたらされることはないかもしれない。
【０１４７】
本発明の実施形態においては、図におけるステップの実行番号は、ステップの実行シーケンスを完全に限定しているわけではなく、図は、例示的な記述のためのものにすぎないということに留意されたい。
【０１４８】
本発明の前述の実施形態において提供されている通信方法に基づいて、本発明の実施形態は、基地局７００を提供する。図７Ａは、本発明のこの実施形態による基地局７００の概略構成図である。図７Ａにおいて示されているように、基地局７００は、送信ユニット７０１、取得ユニット７０２、および制御ユニット７０３を含む。
【０１４９】
送信ユニット７０１は、測定構成を含むメッセージをＵＥへ送信するように構成されており、測定構成は、セルのＣＧＩを報告するようＵＥに要求するために使用される。
【０１５０】
取得ユニット７０２は、ＵＥによって報告される測定レポートを取得するように構成されており、測定レポートは、送信ユニットによって送信された測定構成に対応しており、セルのＣＧＩおよびセルの帯域情報を含む。
【０１５１】
制御ユニット７０３は、取得ユニット７０２によって取得されるセルの帯域情報およびセルのＣＧＩに基づいてセルハンドオーバーを実行するように構成されている。
【０１５２】
本発明のこの実施形態の第１の実施様式においては、１つの帯域がセル用に構成されている場合には、取得ユニット７０２によって取得される帯域情報は、セル用に構成されている帯域を含む。少なくとも２つの帯域がセル用に構成されている場合には、帯域情報は、セル用に構成されている帯域、およびセル用に構成されているさらなる帯域リストを含む。
【０１５３】
本発明のこの実施形態の第２の実施様式においては、少なくとも２つの帯域がセル用に構成されている場合には、取得ユニット７０２によって取得される測定レポートは、セルの帯域優先度情報をさらに含む。帯域優先度情報は、セル用に構成されているさらなる帯域リスト内の帯域の優先度が、セル用に構成されている帯域の優先度よりも高いかどうかを示すために使用される。
【０１５４】
本発明のこの実施形態の第３の実施様式においては、送信ユニット７０１は、
ＵＥによって報告される測定レポートを取得ユニット７０２が取得する前に、指示情報を送信するようにさらに構成されており、指示情報は、セルの帯域情報を報告するようＵＥに指示するために使用される。
【０１５５】
本発明のこの実施形態の第４の実施様式においては、取得ユニット７０２は、
指示情報を送信ユニット７０１が送信する前に、ＵＥによって報告される性能情報を取得し、性能情報に従って、ＵＥがセルの帯域情報の報告をサポートしていることを決定するようにさらに構成されており、性能情報は、ＵＥがセルの帯域情報の報告をサポートしているかどうかを示すために使用される。
【０１５６】
本発明のこの実施形態の第５の実施様式においては、送信ユニット７０１によって送信される指示情報は、測定構成を含むメッセージ内に含まれる。
【０１５７】
本発明のこの実施形態の第６の実施様式においては、送信ユニット７０１によって送信されるメッセージは、無線リソース制御ＲＲＣ接続再構成メッセージである。
【０１５８】
本発明のこの実施形態の第７の実施様式においては、制御ユニット７０３は、
Ｘ２インターフェースを使用することによってハンドオーバーが実行される場合に、セルの帯域情報、またはセルの帯域情報および帯域優先度情報に基づいてＵＥに関するダウンリンク絶対無線周波数チャネル番号ＡＲＦＣＮを選択し、ダウンリンクＡＲＦＣＮに基づいてキーを得て、キーを第２の基地局へ送信するようにさらに構成されており、セルは第２の基地局に属する。
【０１５９】
本発明の実施形態において提供されている前述の通信方法および前述の基地局に基づいて、本発明の実施形態は、図２Ａおよび図２Ｂにおいて示されている通信方法を実施するように構成されている基地局７０００をさらに提供する。図７Ｂは、本発明の実施形態による基地局７０００の概略構成図である。図７Ｂにおいて示されているように、基地局７０００は、メモリ７００１、プロセッサ７００２、および送信機７００３を含む。本発明のこの実施形態においては、下記のとおりである。
【０１６０】
メモリ７００１は、プロセッサ７００２によって実行されるプログラムコードを格納するように構成されている。
【０１６１】
プロセッサ７００２は、メモリ７００１内に格納されているプログラムを呼び出して、送信機７００３を使用することによって、測定構成を含むメッセージをＵＥへ送信するように構成されており、測定構成は、セルのＣＧＩを報告するようＵＥに要求するために使用される。プロセッサ７００２は、ＵＥによって報告される測定レポートを取得し、測定レポートは、測定構成に対応しており、セルのＣＧＩおよびセルの帯域情報を含む。プロセッサ７００２は、セルの帯域情報およびセルのＣＧＩを格納し、セルの帯域情報およびセルのＣＧＩに基づいてセルハンドオーバーを実行する。
【０１６２】
特に、１つの帯域がセル用に構成されている場合には、帯域情報は、セル用に構成されている帯域を含み、少なくとも２つの帯域がセル用に構成されている場合には、帯域情報は、セル用に構成されている帯域、およびセル用に構成されているさらなる帯域リストを含む。
【０１６３】
さらに、少なくとも２つの帯域がセル用に構成されている場合には、測定レポートは、セルの帯域優先度情報をさらに含み、帯域優先度情報は、セル用に構成されているさらなる帯域リスト内の帯域の優先度が、セル用に構成されている帯域の優先度よりも高いかどうかを示すために使用される。
【０１６４】
任意選択で、本発明のこの実施形態においては、プロセッサ７００２は、ＵＥによって報告される測定レポートを取得する前に、送信機７００３を使用することによって指示情報を送信するようにさらに構成されており、指示情報は、セルの帯域情報を報告するようＵＥに指示するために使用される。指示情報はメッセージ内に含まれ、メッセージは、無線リソース制御ＲＲＣ接続再構成メッセージである。
【０１６５】
任意選択で、本発明のこの実施形態においては、プロセッサ７００２は、指示情報を送信する前に、ＵＥによって報告される性能情報を取得するようにさらに構成されており、性能情報は、ＵＥがセルの帯域情報の報告をサポートしているかどうかを示すために使用され、プロセッサ７００２は、性能情報に従って、ＵＥがセルの帯域情報の報告をサポートしているかを決定する。
【０１６６】
任意選択で、プロセッサ７００２は、セルの帯域情報を格納した後に、Ｘ２インターフェースを使用することによってハンドオーバーが実行される場合に、セルの帯域情報、またはセルの帯域情報および帯域優先度情報に基づいてＵＥに関するダウンリンクＡＲＦＣＮを選択し、ダウンリンクＡＲＦＣＮに基づいてキーを得て、得られたキーを第２の基地局へ送信するようにさらに構成されており、セルは第２の基地局に属する。
【０１６７】
本発明の実施形態においては、基地局７００および基地局７０００は、測定を用いてセルの帯域情報、またはセルの帯域情報および帯域優先度情報を取得し、それによって基地局は、セルの完全なおよび正確な帯域情報を取得する。したがって基地局は、正確なハンドオーバー決定を実行し、それによってハンドオーバー失敗を回避する。
【０１６８】
本発明の実施形態は、基地局８００をさらに提供する。図８Ａは、本発明の実施形態による基地局８００の概略構成図である。基地局８００は、取得ユニット８０１、選択ユニット８０２、および送信ユニット８０３を含む。
【０１６９】
取得ユニット８０１は、第２の基地局のセルの帯域優先度情報を取得するように構成されており、帯域優先度情報は、セル用に構成されているさらなる帯域リスト内の帯域の優先度が、セル用に構成されている帯域の優先度よりも高いかどうかを示すために使用される。
【０１７０】
選択ユニット８０２は、Ｘ２インターフェースを使用することによってハンドオーバーが実行される場合に、セルの帯域優先度情報に基づいてＵＥに関するダウンリンクＡＲＦＣＮを選択するように構成されている。
【０１７１】
送信ユニット８０３は、選択ユニット８０２によって選択されたダウンリンクＡＲＦＣＮに基づいてキーを得て、得られたキーを第２の基地局へ送信するように構成されている。
【０１７２】
本発明のこの実施形態の第１の実施様式においては、取得ユニット８０１は、第２の基地局のセルの帯域優先度情報を次の態様、すなわち、
Ｘ２セットアップ要求メッセージの、第２の基地局によって送信された応答情報を受信し、応答情報はセルの帯域優先度情報を含むという態様で取得するように特に構成されている。
【０１７３】
本発明のこの実施形態の第２の実施様式においては、取得ユニット８０１は、第２の基地局のセルの帯域優先度情報を次の態様、すなわち、
第２の基地局によって送信されたＸ２セットアップ要求メッセージを受信し、Ｘ２セットアップ要求メッセージはセルの帯域優先度情報を含むという態様で取得するように特に構成されている。
【０１７４】
本発明の実施形態において提供されている前述の通信方法および前述の基地局に基づいて、本発明の実施形態は、図３Ａにおいて示されている通信方法を実施するように構成されている基地局８０００をさらに提供する。図８Ｂは、本発明のこの実施形態による基地局８０００の概略構成図である。図８Ｂにおいて示されているように、基地局８０００は、メモリ８００１、プロセッサ８００２、およびトランシーバ８００３を含む。本発明のこの実施形態においては、下記のとおりである。
【０１７５】
メモリ８００１は、プロセッサ８００２によって実行されるプログラムコードを格納するように構成されている。
【０１７６】
プロセッサ８００２は、メモリ８００１内に格納されているプログラムを呼び出して、トランシーバ８００３を使用することによって第２の基地局のセルの帯域優先度情報を取得するように構成されており、帯域優先度情報は、セル用に構成されているさらなる帯域リスト内の帯域の優先度が、セル用に構成されている帯域の優先度よりも高いかどうかを示すために使用され、プロセッサ８００２は、Ｘ２インターフェースを使用することによってハンドオーバーが実行される場合に、セルの帯域優先度情報に基づいてＵＥに関するダウンリンクＡＲＦＣＮを選択し、ダウンリンクＡＲＦＣＮに基づいてキーを得て、トランシーバ８００３を使用することによって、得られたキーを第２の基地局へ送信するように構成されている。
【０１７７】
本発明のこの実施形態の第１の実施様式においては、特に、プロセッサ８００２は、第２の基地局のセルの帯域優先度情報を次の態様、すなわち、
Ｘ２セットアップ要求メッセージの、第２の基地局によって送信された応答情報を受信し、応答情報はセルの帯域優先度情報を含むという態様で取得することがある。
【０１７８】
本発明のこの実施形態の別の実施様式においては、特に、プロセッサ８００２は、第２の基地局のセルの帯域優先度情報を次の態様、すなわち、
第２の基地局によって送信されたＸ２セットアップ要求メッセージを受信し、Ｘ２セットアップ要求メッセージはセルの帯域優先度情報を含むという態様で取得することがある。
【０１７９】
本発明のこの実施形態においては、帯域情報に加えて、Ｘ２インターフェースを使用することによってハンドオーバーが実行される場合には、基地局８００および基地局８０００はさらに、帯域優先度情報をやり取りし、それによって、Ｘ２ハンドオーバーが実行される場合に、ソース基地局およびターゲット基地局は、同じ選択メカニズムに基づいてＵＥに関するダウンリンクＡＲＦＣＮを選択する。したがって、ソース基地局によってＵＥ用に選択される帯域は、ターゲット基地局によって選択される帯域と同じであり、それによってハンドオーバー失敗を回避する。
【０１８０】
本発明のさらに別の実施形態は、ユーザ機器９００をさらに提供する。図９Ａは、本発明のこの実施形態によるユーザ機器９００の概略構成図である。図９Ａにおいて示されているように、ユーザ機器９００は、受信ユニット９０１、生成ユニット９０２、および報告ユニット９０３を含む。
【０１８１】
受信ユニット９０１は、第１の基地局によって送信され、かつｒｅｐｏｒｔＣＧＩを含むメッセージを受信するように構成されており、ｒｅｐｏｒｔＣＧＩは、セルのＣＧＩを報告するようＵＥに要求するために使用される。
【０１８２】
生成ユニット９０２は、セルのＣＧＩおよびセルの帯域情報を取得し、ｒｅｐｏｒｔＣＧＩに対応する測定レポートを生成するように構成されている。
【０１８３】
報告ユニット９０３は、生成ユニット９０２によって生成された測定レポートを報告するように構成されており、測定レポートは、セルのＣＧＩおよびセルの帯域情報を含む。
【０１８４】
特に、本発明のこの実施形態においては、１つの帯域がセル用に構成されている場合には、帯域情報は、セル用に構成されている帯域を含み、少なくとも２つの帯域がセル用に構成されている場合には、帯域情報は、セル用に構成されている帯域、およびセル用に構成されているさらなる帯域リストを含む。
【０１８５】
さらに、少なくとも２つの帯域がセル用に構成されている場合には、測定レポートは、セルの帯域優先度情報をさらに含み、帯域優先度情報は、セル用に構成されているさらなる帯域リスト内の帯域の優先度が、セル用に構成されている帯域の優先度よりも高いかどうかを示すために使用される。
【０１８６】
本発明のこの実施形態の実施様式においては、受信ユニット９０１は、
セルの帯域情報を生成ユニット９０２が取得する前に、第１の基地局によって送信された指示情報を受信するようにさらに構成されており、指示情報は、セルの帯域情報を報告するようＵＥに指示するために使用される。
【０１８７】
任意選択で、第１の指示メッセージはメッセージ内に含まれ、メッセージは、無線リソース制御ＲＲＣ接続再構成メッセージである。
【０１８８】
本発明のこの実施形態の別の実施様式においては、報告ユニット９０３は、
性能情報を報告するようにさらに構成されており、性能情報は、ＵＥがセルの帯域情報の報告をサポートしているかどうかを示すために使用される。
【０１８９】
本発明の実施形態は、ユーザ機器９０００をさらに提供する。図９Ｂにおいて示されているように、ユーザ機器９０００は、メモリ９００１、プロセッサ９００２、受信機９００３、および送信機９００４を含む。本発明のこの実施形態においては、下記のとおりである。
【０１９０】
メモリ９００１は、プロセッサ９００２によって実行されるプログラムコードを格納するように構成されている。
【０１９１】
プロセッサ９００２は、メモリ９００１によって格納されているプログラムを呼び出して、受信機９００３を使用することによって、第１の基地局によって送信され、かつ測定構成を含むメッセージを受信するように構成されており、測定構成は、セルのＣＧＩを報告するようＵＥに要求するために使用される。プロセッサ９００２は、セルのＣＧＩおよびセルの帯域情報を取得し、測定構成に対応する測定レポートを生成する。プロセッサ９００２は、送信機９００４を使用することによって測定レポートを報告し、測定レポートは、セルのＣＧＩおよびセルの帯域情報を含む。
【０１９２】
本発明のこの実施形態においては、１つの帯域がセル用に構成されている場合には、帯域情報は、セル用に構成されている帯域を含み、少なくとも２つの帯域がセル用に構成されている場合には、帯域情報は、セル用に構成されている帯域、およびセル用に構成されているさらなる帯域リストを含む。
【０１９３】
さらに、少なくとも２つの帯域がセル用に構成されている場合には、測定レポートは、セルの帯域優先度情報をさらに含み、帯域優先度情報は、セル用に構成されているさらなる帯域リスト内の帯域の優先度が、セル用に構成されている帯域の優先度よりも高いかどうかを示すために使用される。
【０１９４】
本発明のこの実施形態の実施様式においては、プロセッサ９００２は、セルの帯域情報を取得する前に、受信機９００３を使用することによって、第１の基地局によって送信される指示情報を受信するようにさらに構成されており、指示情報は、セルの帯域情報を報告するようＵＥに指示するために使用される。第１の指示メッセージはメッセージ内に含まれ、メッセージは、無線リソース制御ＲＲＣ接続再構成メッセージである。
【０１９５】
本発明のこの実施形態の別の実施様式においては、プロセッサ９００２は、送信機９００４を使用することによって性能情報を報告するようにさらに構成されており、性能情報は、ＵＥがセルの帯域情報の報告をサポートしているかどうかを示すために使用される。
【０１９６】
本発明の実施形態においては、ユーザ機器９００およびユーザ機器９０００は、測定構成に基づいて測定を実行し、セルの帯域情報を読み取り、帯域情報を基地局へ報告し、それによって基地局は、セルの帯域情報、またはセルの帯域情報および帯域優先度情報を取得する。したがって基地局は、セルの完全なおよび正確な帯域情報を格納し、それによって基地局は、正確なハンドオーバー決定を実行し、それによってハンドオーバー失敗を回避する。
【０１９７】
本発明の前述の実施形態に関わるメモリは、限定されないが、読み取り専用メモリ（英語：Ｒｅａｄ−Ｏｎｌｙ  Ｍｅｍｏｒｙ、略してＲＯＭ）、ランダムアクセスメモリ（英語：Ｒａｎｄｏｍ  Ａｃｃｅｓｓ  Ｍｅｍｏｒｙ、略してＲＡＭ）、電気的に消去可能なプログラム可能読み取り専用メモリ（英語：Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ、略してＥＥＰＲＯＭ）、ディスクストレージメディアもしくは他のディスクストレージ、または、期待されているプログラムコードをコマンドもしくはデータ構成形態で搬送もしくは格納するために使用されることが可能な、およびコンピュータによってアクセスされることが可能な他の任意のメディアであり得ることに留意されたい。たとえばメモリは、前述のメモリの組合せとしてよい。
【０１９８】
本発明の実施形態に関わるプロセッサは、一般的な中央処理装置としてよい。
【０１９９】
実施形態の前述の方法のそれぞれにおけるステップのすべてまたは一部は、プロセッサに指示するプログラムによって実施され得るということを当業者は理解し得る。前述のプログラムは、コンピュータ可読ストレージメディア内に格納され得る。ストレージメディアは、ランダムアクセスメモリ、読み取り専用メモリ、フラッシュメモリ、ハードディスク、ソリッドステートドライブ、磁気テープ（ｍａｇｎｅｔｉｃ  ｔａｐｅ）、フロッピーディスク（ｆｌｏｐｐｙ  ｄｉｓｋ）、光ディスク（ｏｐｔｉｃａｌ  ｄｉｓｃ）、またはそれらの任意の組合せなどの非一時的（ｎｏｎ−ｔｒａｎｓｉｔｏｒｙ）メディアであり得る。
【０２００】
本発明は、本発明の実施形態における方法およびデバイスのフローチャートおよびブロック図を参照して記述されている。コンピュータプログラム命令は、フローチャートおよびブロック図におけるそれぞれのプロセスおよびそれぞれのブロック、ならびにフローチャートおよびブロック図におけるプロセスおよびブロックの組合せを実施するために使用され得るということを理解されたい。これらのコンピュータプログラム命令は、マシンを生成するために、汎用コンピュータ、専用コンピュータ、組み込みプロセッサ、または他の任意のプログラム可能なデータ処理デバイスのプロセッサに提供されてよく、それによって、コンピュータまたは他の任意のプログラム可能なデータ処理デバイスのプロセッサによって実行される命令は、フローチャートにおける１つもしくは複数のプロセスにおいて、またはブロック図における１つもしくは複数のブロックにおいて特定の機能を実施するための装置を生成する。
【０２０１】
前述の記述は、本発明の例示的な実施様式にすぎず、本発明の保護範囲を限定することを意図されていない。本発明において開示されている当業者によって容易に考え出されるいかなる変形または代替も、本発明の保護範囲内に入るものとする。したがって本発明の保護範囲は、特許請求の範囲の保護範囲とする。
【図１】
0006608952.tif 000002
【図２Ａ】
0006608952.tif 000003
【図２Ｂ】
0006608952.tif 000004
【図２Ｃ】
0006608952.tif 000005
【図３Ａ】
0006608952.tif 000006
【図３Ｂ】
0006608952.tif 000007
【図４Ａ】
0006608952.tif 000008
【図４Ｂ】
0006608952.tif 000009
【図４Ｃ】
0006608952.tif 000010
【図５】
0006608952.tif 000011
【図６】
0006608952.tif 000012
【図７Ａ】
0006608952.tif 000013
【図７Ｂ】
0006608952.tif 000014
【図８Ａ】
0006608952.tif 000015
【図８Ｂ】
0006608952.tif 000016
【図９Ａ】
0006608952.tif 000017
【図９Ｂ】
0006608952.tif 000018